(57)【要約】【課題】  キャビネットを共通化させて後付けが可能で、しかも良好な冷風効果が得られるヘッドレストを提供する。【解決手段】  便器１の後方に立設されるキャビネット２上に設置可能なヘッドレスト４内には冷風発生装置５が収納されており、このヘッドレスト５の前面に開口させた吹出口６から、便器１に着座した便器使用者１０の首筋１０ｂ，肩等へ冷風を当てることができるように構成されている。【選択図】  図２
2006239094.tif 000002
【特許請求の範囲】
【請求項１】
便器後方に立設されるキャビネットの上に設置可能なヘッドレストにおいて、該ヘッドレストの上部部位には、便器着座時における使用者の後頭部が当接し得る頭もたれ部が設けられているとともに、ヘッドレスト内部には冷風発生装置が収納され前方に吹出口が開口されていることを特徴とするヘッドレスト。
【請求項２】
前記頭もたれ部は前方に突出して形成され、該頭もたれ部の下方の凹んだ部位に前記吹出口が開口されていることを特徴とする請求項１に記載のヘッドレスト。
【請求項３】
前記ヘッドレストの前面から便器後方に立設されるキャビネットを覆うように背もたれ部が設けられていることを特徴とする請求項１または請求項２に記載のヘッドレスト。
【発明の詳細な説明】
【技術分野】
【０００１】
本発明は、トイレ内に設置されて、便器に着座した状態で頭をもたれかけることのできるヘッドレストに関するものである。
【背景技術】
【０００２】
従来、特許文献１に開示されているように、便器後方に立設されたキャビネット内に冷暖房機を備えたものが存在する。
また、便器後方に立設されるロータンク内に冷房装置を内蔵した商品も存在する。
【特許文献１】特開２００１−２７９７７１号公報
【発明の開示】
【発明が解決しようとする課題】
【０００３】
従来のように、キャビネット内あるいはロータンク内に冷房装置を内蔵した構造では、キャビネットあるいはロータンクが専用構造となり、冷房装置を後付けすることができないという問題点があった。
また、冷風の吹出口と便器使用者の首筋や肩等の間に距離があり、冷風が首筋や肩等に到達するまでに周辺の空気を巻き込み、温度が上昇して冷風効果が低下してしまうという問題点があった。
【課題を解決するための手段】
【０００４】
本発明は上記従来の問題点に鑑み案出したものであって、通常のキャビネットに後付けすることができ、しかも冷風効果が高まるトイレのヘッドレストを提供するものであり、その請求項１は、便器後方に立設されるキャビネットの上に設置可能なヘッドレストにおいて、該ヘッドレストの上部部位には、便器着座時における使用者の後頭部が当接し得る頭もたれ部が設けられているとともに、ヘッドレスト内部には冷風発生装置が収納され前方に吹出口が開口されていることである。
【０００５】
また、請求項２は、前記頭もたれ部は前方に突出して形成され、該頭もたれ部の下方の凹んだ部位に前記吹出口が開口されていることである。
【０００６】
また、請求項３は、前記ヘッドレストの前面から便器後方に立設されるキャビネットを覆うように背もたれ部が設けられていることである。
【発明の効果】
【０００７】
本発明のヘッドレストは、キャビネットの上に設置可能で、上部部位には、便器着座時における使用者の後頭部が当接し得る頭もたれ部が設けられ、内部には冷風発生装置が収納され前方に吹出口が開口されていることにより、冷風発生装置を備えていない通常のキャビネット上に後付けしてヘッドレストを設置することができ、ヘッドレストに開口されている吹出口から近い距離で便器上に着座している使用者の首筋，肩等へ冷風を当てることができ、冷風効果を高めることができるものとなる。
【０００８】
また、頭もたれ部は前方に突出して形成され、頭もたれ部の下方の凹んだ部位に吹出口が開口されていることにより、ヘッドレストの頭もたれ部に便器使用者が後頭部を当接させた場合にも、吹出口が使用者の頭部で塞がれることがなく、冷風が左右に逃げる空間が形成されて、冷風の吹き出しを良好に持続できるものとなる。
【０００９】
また、ヘッドレストの前面から便器後方に立設されるキャビネットを覆うように背もたれ部が設けられていることにより、使用者が便器に着座した状態で背もたれ部にもたれてリラックスできるものとなる。
【実施例】
【００１０】
以下、本発明の実施例を図面に基づいて説明する。
図１は、ヘッドレストの設置状態の斜視構成図であり、また図２は、使用状態の側面一部断面構成図である。
【００１１】
図において、便器１の後方にはキャビネット２が立設されており、キャビネット２の上面にはカウンター３が設けられ、このカウンター３上にヘッドレスト４が設置されている。
ヘッドレスト４は、上端側前面に前方側へ突出する頭もたれ部４ａが形成されており、その頭もたれ部４ａの下方には、後方側へ凹んだ凹部４ｂが形成されて、この凹部４ｂから下方側へ垂下状に、キャビネット２を覆うように背もたれ部４ｃが一体形成されたものとなっており、カウンター３上に後付けで設置でき、キャビネット２は、通常のものと共通化できるように構成されている。
【００１２】
また、ヘッドレスト４を設置する際に、ヘッドレスト４の下方に左右のカウンター３を呑み込ませることで、カウンター３を間口にぴったりと合わせて設置できるように構成されている。
このヘッドレスト４内には、冷風発生装置５が収納されており、冷風発生装置５は、例えばペルチェ素子５ａと、その上方のファン５ｂで構成され、ペルチェ素子５ａの上面側には冷却フィンが、ペルチェ素子５ａの下面側には放熱フィンがあり、ペルチェ素子５ａに通電することにより、上面側の冷却フィンが冷やされ、下面側の放熱フィンが放熱されるものである。
【００１３】
即ち、ペルチェ素子５ａの上面側が冷されて、ファン５ｂが回転されることで冷風が前方側へ吹き出されるように構成されている。
冷風の吹出口６は、頭もたれ部４ａの下方の凹部４ｂに開口されており、便器１上に着座した使用者１０の首筋や肩に良好に冷風が当たるように設定されている。
なお、ペルチェ素子５ａの下面側の放熱フィンは熱を持つこととなるが、本例では、キャビネット２内に内装されているロータンク７内にポンプ８が設けられており、このポンプ８からホース９を介してロータンク７内の洗浄水を循環させて、ペルチェ素子５ａの下面側の放熱フィンを冷却するように構成されている。
【００１４】
なお、頭もたれ部４ａは、使用者１０が便器１に着座した状態で後方にもたれると、使用者１０の後頭部１０ａが当たるような位置に設定されており、頭もたれ部４ａに後頭部１０ａを当接させると、吹出口６から極めて近い距離で、使用者１０の首筋１０ｂ及びその下方の肩に冷風が当たることとなり、極めて冷風効果が高められるものである。
なお、使用者の後頭部１０ａが頭もたれ部４ａに当接している状態でも、下方の吹出口６は凹部４ｂに形成されているため、使用者の頭部で吹出口６が塞がれることはなく、吹出口６から吹き出された冷風は、使用者の首筋の左右の空間に逃げることができ、ファン５ｂの風量が損なわれることがないように設定されている。
【００１５】
なお、ヘッドレスト４の吹出口６の近傍には、センサーあるいはスイッチが設けられており、便器１上に使用者が着座した状態や、便器１の前方に使用者が立った状態等を良好にセンサーで検知して、その状態で冷風発生装置５が作動されるように構成されている。
【００１６】
なお、ヘッドレスト４内に収納されている冷風発生装置５は、ペルチェ素子５ａ以外のものを利用しても良く、また、ヘッドレスト４内には、冷風発生装置５とともに音楽を聴くためのスピーカーを内蔵させておいても良く、更には、頭もたれ部４ａあるいは背もたれ部４ｃを振動させることのできるマッサージ機能装置を内蔵させておいても良い。
【図面の簡単な説明】
【００１７】
【図１】便器後方のキャビネット上にヘッドレストを設置した状態の斜視構成図である。
【図２】便器に使用者が着座した状態の側面断面構成図である。
【符号の説明】
【００１８】
１  便器
２  キャビネット
３  カウンター
４  ヘッドレスト
４ａ  頭もたれ部
４ｂ  凹部
４ｃ  背もたれ部
５  冷風発生装置
５ａ  ペルチェ素子
５ｂ  ファン
６  吹出口
７  ロータンク
８  ポンプ
９  ホース
１０  使用者
１０ａ  後頭部
１０ｂ  首筋
【図１】
2006239094.tif 000003
【図２】
2006239094.tif 000004